(57)【要約】【課題】万が一、制御プリント配線基板上の高電流が流れる部分から発火した場合でも、その発火により上部枠体やパネル部材が類焼することがない洗濯機を実現する。【解決手段】洗濯機本体１７に積載した上部枠体１８内に収容され洗濯機の運転を制御する電源用制御プリント配線基板（制御プリント配線基板）３１を内装した第１の舟状のケース（舟状のケース）３６内に、ポッティング材を充填することで防水保護された電源用制御プリント配線基板ユニット（制御プリント配線基板ユニット）３８を形成し、高電流が流れるリレー（電装部品）４２ａ、トライアック（電装部品）４２ｂおよび雄コネクタ（コネクタ部）４０ａ、４０ｂ、雌コネクタ（コネクタ部）４１ａ、４１ｂの上方が、外観パネル部材２６の裏面に貼付けられたアルミテープおよびカバー体（金属部材）４３の少なくともいずれか一方で覆われる構成としたものである。【選択図】図１
2007190117.tif 000002
【特許請求の範囲】
【請求項１】
洗濯機本体と、前記洗濯機本体に積載した上部枠体と、前記上部枠体内に収容され洗濯機の運転を制御する制御プリント配線基板と、前記制御プリント配線基板を内装し上面が開放された舟状のケースと、前記制御プリント配線基板を前記舟状のケース内に内装した状態で前記舟状のケース内にウレタン樹脂等によりなるポッティング材を充填することで前記制御プリント配線基板が防水保護された制御プリント配線基板ユニットと、前記上部枠体に取り付けられ前記制御プリント配線基板ユニットを覆う外観パネル部材とを備え、前記制御プリント配線基板ユニットは、前記制御プリント配線基板上に実装された電装部品およびコネクタ部のうち、少なくとも高電流が流れる前記電装部品およびコネクタ部の上方が、前記外観パネル部材の裏面に貼付けられたアルミテープおよび金属部材の少なくともいずれか一方で覆われる構成とした洗濯機。
【請求項２】
高電流が流れる電装部品およびコネクタ部の上方が外観パネル部材の分割部分またはその近傍に位置し、前記外観パネル部材の裏面にアルミテープを貼付けるとともに、前記高電流が流れる電装部品およびコネクタ部の上方に金属部材を設けた請求項１記載の洗濯機。
【発明の詳細な説明】
【技術分野】
【０００１】
本発明は、制御プリント配線基板が防水保護された制御プリント配線基板ユニットを有する洗濯機に関するものである。
【背景技術】
【０００２】
従来、この種の洗濯機は図４に示すような構成が一般的であった（例えば、特許文献１参照）。
【０００３】
以下、その構成について図４を用いて説明する。洗濯槽１を収納した洗濯機本体２の上部には上部枠体３が装着され、上部枠体３の略中央部には衣類投入口４が形成され、衣類投入口４は蓋５で開閉自在に覆われている。また、上部枠体３の後部には、給水を制御する電磁給水弁６と、その電磁給水弁６に連通し洗濯槽１内に給水する注水口部材７とが内蔵され、その上方を後部パネル部材８で覆っている。
【０００４】
また、上部枠体３の前部には、略凹状の制御プリント配線基板収納部９が形成され、ボタン１０を有する前部パネル部材１１が制御プリント配線基板収納部９を上方より被装している。前部パネル部材１１の裏面には、スイッチ（図示せず）を有する制御プリント配線基板ユニット１２が装着されている。また、制御プリント配線基板１２上には、高電流（例えば、３アンペア（Ａ）以上）が流れる交流電源やモータ（図示せず）等と接続されたリード線１３の先端部が挿着されるコネクタ部１４や電装部品１５が実装されている。
【特許文献１】特開平５−１２３４９２号公報
【発明の開示】
【発明が解決しようとする課題】
【０００５】
しかしながら、前記従来の構成では、電装部品１５の部品不良、コネクタ部１４のガタツキ、或いは加締め不良、水や蒸気の浸入等が原因で、万が一、電装部品１５やコネクタ部１４から発火した場合、前部パネル部材１１は、ＰＰ（ポリ・プロプレン）やＡＢＳ（アクリルニトリル・ブタジエン・スチレン）等の熱可塑性樹脂で形成されているため、電装部品１５やコネクタ部１４からの発火により、上部枠体３や前部パネル部材１１が類焼しまうといった課題があった。
【０００６】
本発明は、前記従来の課題を解決するもので、電装部品の部品不良、コネクタ部のガタツキ、或いは加締め不良、水や蒸気の浸入等が原因で、万が一、制御プリント配線基板上の高電流が流れる電装部品やコネクタ部から発火した場合でも、その発火により上部枠体やパネル部材が類焼することがない洗濯機を提供することを目的とする。
【課題を解決するための手段】
【０００７】
前記従来の課題を解決するために、本発明の洗濯機は、洗濯機本体と、前記洗濯機本体に積載した上部枠体と、前記上部枠体内に収容され洗濯機の運転を制御する制御プリント配線基板と、前記制御プリント配線基板を内装し上面が開放された舟状のケースと、前記制御プリント配線基板を前記舟状のケース内に内装した状態で前記舟状のケース内にウレタン樹脂等によりなるポッティング材を充填することで前記制御プリント配線基板が防水保護された制御プリント配線基板ユニットと、前記上部枠体に取り付けられ前記制御プリント配線基板ユニットを覆う外観パネル部材とを備え、前記制御プリント配線基板ユニットは、前記制御プリント配線基板上に実装された電装部品およびコネクタ部のうち、少なくとも高電流が流れる前記電装部品およびコネクタ部の上方が、前記外観パネル部材の裏面に貼付けられたアルミテープおよび金属部材の少なくともいずれか一方で覆われる構成としたものである。
【０００８】
これによって、制御プリント配線基板上の高電流が流れる電装部品の部品不良、コネクタ部のガタツキ、或いは加締め不良、水や蒸気の浸入等が原因で、万が一、電装部品やコネクタ部から発火した場合でも、外観パネル部材の裏面に貼付けられたアルミテープおよび金属部材の少なくともいずれか一方にて、発火の拡大を防ぐことができることとなる。
【発明の効果】
【０００９】
本発明の洗濯機は、制御プリント配線基板上の高電流が流れる電装部品の部品不良、コネクタ部のガタツキ、或いは加締め不良、水や蒸気の浸入等が原因で、万が一、電装部品やコネクタ部から発火した場合でも、ＰＰやＡＢＳ等の熱可塑性樹脂で形成された上部枠体やパネル部材が類焼してしまうことを防止することができる。
【発明を実施するための最良の形態】
【００１０】
本発明の請求項１記載の発明は、洗濯機本体と、前記洗濯機本体に積載した上部枠体と、前記上部枠体内に収容され洗濯機の運転を制御する制御プリント配線基板と、前記制御プリント配線基板を内装し上面が開放された舟状のケースと、前記制御プリント配線基板を前記舟状のケース内に内装した状態で前記舟状のケース内にウレタン樹脂等によりなるポッティング材を充填することで前記制御プリント配線基板が防水保護された制御プリント配線基板ユニットと、前記上部枠体に取り付けられ前記制御プリント配線基板ユニットを覆う外観パネル部材とを備え、前記制御プリント配線基板ユニットは、前記制御プリント配線基板上に実装された電装部品およびコネクタ部のうち、少なくとも高電流が流れる前記電装部品およびコネクタ部の上方が、前記外観パネル部材の裏面に貼付けられたアルミテープおよび金属部材の少なくともいずれか一方で覆われる構成とした洗濯機とすることにより、制御プリント配線基板上の高電流が流れる電装部品の部品不良、コネクタ部のガタツキ、或いは加締め不良、水や蒸気の浸入等が原因で、万が一、電装部品やコネクタ部から発火した場合でも、電装部品およびコネクタ部の上方を覆う外観パネル部材の裏面に貼付けられたアルミテープおよび金属部材の少なくともいずれか一方にて、発火の拡大を防ぐことができ、ＰＰやＡＢＳ等の熱可塑性樹脂で形成された上部枠体やパネル部材が類焼してしまうことを防止することができる。
【００１１】
第２の発明は、特に、第１の発明の高電流が流れる電装部品およびコネクタ部の上方が外観パネル部材の分割部分またはその近傍に位置し、前記外観パネル部材の裏面にアルミテープを貼付けるとともに、前記高電流が流れる電装部品およびコネクタ部の上方に金属部材を設けたことにより、外観パネル部材の裏面にアルミテープを貼付け難い場所でも、金属部材を取り付けることで、確実に発火の拡大を防ぐことができ、さらにＰＰやＡＢＳ等の熱可塑性樹脂で形成された上部枠体やパネル部材が類焼してしまうことを防止することができる。
【００１２】
以下、本発明の実施の形態について、図面を参照しながら説明する。なお、この実施の形態によって本発明が限定されるものではない。
【００１３】
（実施の形態１）
図１は、本発明の第１の実施の形態における洗濯機の上部枠体の分解斜視図、図２は、同洗濯機のカバー体（金属部材）の斜視図、図３は、同洗濯機のカバー体（金属部材）と制御プリント配線基板の組立斜視図を示すものである。
【００１４】
図１において、洗濯槽１６を収納した洗濯機本体１７の上部には、ＰＰ（ポリ・プロプレン）やＡＢＳ（アクリルニトリル・ブタジエン・スチレン）等の熱可塑性樹脂で形成された上部枠体１８が装着されている。上部枠体１８には、略中央部に洗濯槽１６に衣類を投入するための衣類投入口１９を形成している。衣類投入口１９は、後方で軸支された蓋２０で開閉自在に覆われている。衣類投入口１９の前方には、前部凹部２１が形成され、衣類投入口１９の側方には、側部凹部２２が形成されている。前部凹部２１は、表示部２３および操作ボタン２４等を有しＰＰやＡＢＳ等の熱可塑性樹脂で形成された操作表示パネル部材２５にて覆われる構成としており、側部凹部２２は、ＰＰやＡＢＳ等の熱可塑性樹脂で形成された外観パネル部材２６にて覆われる構成としている。
【００１５】
また、上部枠体１８の後部には、給水を制御する電磁給水弁２７と、その電磁給水弁２７に連通し洗濯槽１６内に給水する注水口部材２８とが内蔵され、その上方を後部パネル部材２９で覆っている。
【００１６】
洗濯機の運転を制御する制御プリント配線基板は、交流電源およびモータ（図示せず）等の駆動部品とリード線３０ａ、３０ｂを介して接続された電源用制御プリント配線基板３１と、電源用制御プリント配線基板３１と信号リード線３２で接続され操作表示パネル部材２５の表示部２３の対応位置に設けた表示電装部品３３、および操作ボタン２４の対応位置に設けた操作電装部品３４等が実装された操作用制御プリント配線基板３５とに分割されている。
【００１７】
電源用制御プリント配線基板３１および操作用制御プリント配線基板３５は、それぞれ上面が開放された第１の舟状のケース３６および第２の舟状のケース３７内に内装された状態で、第１の舟状のケース３６および第２の舟状のケース３７内にウレタン樹脂等によりなるポッティング材が充填され、電源用制御プリント配線基板３１および操作用制御プリント配線基板３５が防水保護された電源用制御プリント配線基板ユニット３８および操作用制御プリント配線基板ユニット３９が形成されている。
【００１８】
上記したように、操作用制御プリント配線基板３５は、電源用制御プリント配線基板３１と信号リード線３２で接続されており、操作用制御プリント配線基板３５上には、低電流（例えば、１Ａ以下）で動作する表示電装部品３３および操作電装部品３４等が実装されているのみで、高電流（例えば３Ａ以上）が流れることはない構成となっている。
【００１９】
一方、電源用制御プリント配線基板３１には、交流電源から電流が入力されるリード線３０ａの先端に設けた雄コネクタ４０ａが挿着される雌コネクタ４１ａが実装され、モータ（図示せず）等の駆動部品へ電流を出力するリード線３０ｂの先端に設けた雄コネクタ４０ｂが挿着される雌コネクタ４１ｂが実装されるとともに、交流電源からの電流用のリレー４２ａやモータへの通電を制御するためのトライアック４２ｂ等が実装されている。モータ駆動時において、雌コネクタ４１ａ、４１ｂ、雄コネクタ４０ａ、４０ｂ、リレー４２ａおよびトライアック４２ｂには、高電流（例えば３Ａ以上）が流れることとなる。
【００２０】
操作用制御プリント配線基板ユニット３９が、操作表示パネル部材２５の裏面にねじ止め固定された後、操作表示パネル部材２５が、前部凹部２１を覆うように取り付けられる。このように、操作用制御プリント配線基板ユニット３９を前部に配置させることで、使用者が操作しやすいようにしている。
【００２１】
電源用制御プリント配線基板ユニット３８は、その長手方向が前後方向に位置するとともに、第１の舟状のケース３６の開放された上面が横方向を向き、両側壁３６ａ、３６ｂがそれぞれ上下方向を向くように立てた状態で、側部凹部２２にねじ止め固定されている。この状態において、構成電源用制御プリント配線基板３１上に実装された雌コネクタ４１ａ、４１ｂ、その雌コネクタ４１ａ、４１ｂに挿着される雄コネクタ４０ａ、４０ｂ、交流電源からの電流用のリレー４２ａおよびモータへの通電を制御するためのトライアック４２ｂは、電源用制御プリント配線基板３１の後部側に集中するように設けられている。
【００２２】
このように集中して設けられた雌コネクタ４１ａ、４１ｂ、雄コネクタ４０ａ、４０ｂ、リレー４２ａおよびトライアック４２ｂの上方には、外観パネル部材２６の裏面に不燃性のアルミテープ４９を貼り付けるとともに、不燃性の金属材料で形成されたカバー体（金属部材）４３を設けている。通常、外観パネル部材２６の裏面に不燃性のアルミテープ４９を貼り付けることで、外観パネル部材２６が類焼することを防止できるものであるが、特に、雌コネクタ４１ａ、４１ｂ、雄コネクタ４０ａ、４０ｂ、リレー４２ａおよびトライアック４２ｂが、電源用制御プリント配線基板３１の後部側に集中するように設けられている場合においては、雌コネクタ４１ａ、４１ｂ、雄コネクタ４０ａ、４０ｂ、リレー４２ａおよびトライアック４２ｂの上方が、外観パネル部材２６と後部パネル部材２９の分割部分Ａ、Ａ’またはその近傍に位置することとなるため、アルミテープ４９が張り難い構成であり、外観パネル部材２６および後部パネル部材２９が類焼することを防止するためには、カバー体４３が必須となるものである。以下、このカバー体４３の構成について、図２および図３を用いて説明する。
【００２３】
図２において、カバー体４３は、第１の金属部分４４と第２の金属部分４５とを有し、第１の金属部分４４と第２の金属部分４５とが略直角になるように形成されている。第１の金属部分４４には、先端部分４６ａが第２の金属部材４５方向に向くように略Ｌ字状に形成された引掛け部４６が設けられている。また、第２の金属部分４５の一辺には、第２の金属部分４５に対し略直角になるように位置決めリブ４７が設けられている。さらに、第１の金属部分４４において、第２の金属部分４５との接続部分の反対側の先端部分は、第２の金属部分４５に対して反対側に折れ曲がるように先端保護部４８ａを設けている。なお、第１の金属部分４４の両側端部にも、同方向に折れ曲がる先端保護部４８ｂを設けている。
【００２４】
このような構成におけるカバー体４３は、図３に示すように、電源用制御プリント配線基板ユニット３８に取り付けられる。この取り付け方法について、以下に説明する。
【００２５】
図３において、カバー体４３は、引掛け部４６を先端部分４６ａが電源用制御プリント配線基板ユニット３８の底面方向に向いて第１の舟状のケース３６の上方に位置する側壁３６ａの上端部３６ｃに引っ掛けるとともに、第１の金属部分４４は側壁３６ａに沿うように位置し、また、第２の金属部分４５は第１の舟状のケース３６の底面３６ｅに沿うように位置している。このとき、第２の金属部分４５の一辺に設けた位置決めリブ４７が、第１の舟状のケース３６の後方側に位置するの後方側壁３６ｄに沿うことで、カバー体４３の電源用制御プリント配線基板ユニット３８に対する位置決めがなされている。
【００２６】
また、第１の金属部分４４の前後方向（矢印ａ方向）の長さは、集中して設けられた雌コネクタ４１ａ、４１ｂ、雄コネクタ４０ａ、４０ｂ、リレー４２ａおよびトライアック４２ｂが全て覆われ、かつ、さらに雌コネクタ４１ａ、４１ｂ、雄コネクタ４０ａ、４０ｂ、リレー４２ａおよびトライアック４２ｂのうち最前に位置する部品よりも所定寸法長くなるように設定されている。
【００２７】
さらに、第１の金属部分４４の左右方向（矢印ｂ方向）の長さは、外観パネル部材２６の天面内部の形状にほぼ沿うような長さに設定されている。
【００２８】
上記構成において、その作用を説明する。
【００２９】
上記したように、モータ駆動時において、雌コネクタ４１ａ、４１ｂ、雄コネクタ４０ａ、４０ｂ、リレー４２ａおよびトライアック４２ｂには、高電流（例えば３Ａ以上）が流れる。通常の使用状態においては、全く問題はないが、リレー４２ａ、トライアック４２ｂに部品不良があった場合、雌コネクタ４１ａ、４１ｂと雄コネクタ４０ａ、４０ｂのガタツキ、加締め不良、あるいはリード線３０ａ、３０ｂの一部断線があった場合、あるいはその部分へ水や蒸気が浸入した場合など、電装部品やコネクタ部から発火するおそれがある。このような場合でも、その発火の拡大を、外観パネル部材２６の裏面に貼り付けられた不燃性のアルミテープ４９およびカバー体４３の第１の金属部分４４で防ぐことができるので、ＰＰやＡＢＳ等の熱可塑性樹脂で形成された外観パネル部材２６が、類焼してしまうことを防止することができる。
【００３０】
また、電源用制御プリント配線基板ユニット３８は、その長手方向が前後方向に位置するとともに、第１の舟状のケース３６の開放された上面が横方向を向き、両側壁３６ａ、３６ｂがそれぞれ上下方向を向くように立てた状態で、側部凹部２２にねじ止め固定されていることにより、カバー体４３の第１の金属部分４４の大きさを、第１の舟状のケース３６の開放された上面が上方向を向き、両側壁３６ａ、３６ｂがそれぞれ横方向を向くようにした状態で雌コネクタ４１ａ、４１ｂ、雄コネクタ４０ａ、４０ｂ、リレー４２ａおよびトライアック４２ｂを覆うようにした場合に対し、小さくすることができ、カバー体４３を安価にすることができる。
【００３１】
また、カバー体４３は、引掛け部４６を先端部分４６ａが電源用制御プリント配線基板ユニット３８の底面方向に向いて第１の舟状のケース３６の上方に位置する側壁３６ａの上端部３６ｃに引っ掛けるとともに、第１の金属部分４４は側壁３６ａに沿うように位置し、また、第２の金属部分４５は第１の舟状のケース３６の底面３６ｅに沿うように位置するように構成しているので、ねじ等の固定部品が不要となり、安価にカバー体４３を取り付けることができる。このとき、位置決めリブ４７は、第１の舟状のケース３６の後方側に位置するの後方側壁３６ｄに沿うように形成されているので、カバー体４３の電源用制御プリント配線基板ユニット３８に対する位置決めがなされるとともに、前方向に位置ずれを防止することができる。なお、後方向への位置ずれは、側部凹部２２の後部にリブ（図示せず）を設けることで防止することができる。
【００３２】
また、リード線３０ａ、３０ｂは、第１の金属部分４４の近傍を引き回されることとなるが、第１の金属部分４４の端部には、電源用制御プリント配線基板３１に対して反対側に折れ曲がる先端保護部４８ａ、４８ｂが設けられているので、リード線３０ａ、３０ｂの被覆が、第１の金属部分４４の端部のエッジで傷ついたりすることはなく、安全にリード線３０ａ、３０ｂを引き回すことができる。
【００３３】
また、電源用制御プリント配線基板ユニット３８にカバー体４３を取り付けた状態で、側部凹部２２にねじ止め固定し、その後、外観パネル部材２６を取り付けるように構成しているので、カバー体４３が所定の位置に取り付けられたのを確認した後、外観パネル部材２６を上部枠体１８に取り付けるので、カバー体４３を確実に所定の位置に取り付けることができるので、万が一、雌コネクタ４１ａ、４１ｂ、雄コネクタ４０ａ、４０ｂ、リレー４２ａおよびトライアック４２ｂから発火した場合でも、その発火により外観パネル部材２６が類焼するのをさらに確実に防止することができる。
【００３４】
なお、本実施の形態１においては、モータ駆動時において、高電流（例えば３Ａ以上）が流れる電装部品やコネクタ部を雌コネクタ４１ａ、４１ｂ、雄コネクタ４０ａ、４０ｂ、リレー４２ａおよびトライアック４２ｂとしたが、それ以外にも存在してもよく、その場合もその部分をアルミテープ４９およびカバー体４３で覆えばよい。
【産業上の利用可能性】
【００３５】
本発明にかかる洗濯機は、制御プリント配線基板上の高電流が流れる電装部品の部品不良、コネクタ部のガタツキ、或いは加締め不良、水や蒸気の浸入等が原因で、万が一、電装部品やコネクタ部から発火した場合でも、ＰＰやＡＢＳ等の熱可塑性樹脂で形成された上部枠体やパネル部材が類焼しまうことを防止することができるので、制御プリント配線基板が防水保護された制御プリント配線基板ユニットを有する洗濯機として有用である。
【図面の簡単な説明】
【００３６】
【図１】本発明の第１の実施の形態における洗濯機の上部枠体の分解斜視図
【図２】同洗濯機のカバー体の斜視図
【図３】同洗濯機のカバー体と制御プリント配線基板の組立斜視図
【図４】従来の洗濯機の構成図
【符号の説明】
【００３７】
１７  洗濯機本体
１８  上部枠体
２６  外観パネル部材
３１  電源用制御プリント配線基板（制御プリント配線基板）
３６  第１の舟状のケース（舟状のケース）
３８  電源用制御プリント配線基板ユニット（制御プリント配線基板ユニット）
４０ａ、４０ｂ  雄コネクタ（コネクタ部）
４１ａ、４１ｂ  雌コネクタ（コネクタ部）
４２ａ  リレー（電装部品）
４２ｂ  トライアック（電装部品）
４３  カバー体（金属部材）
４９  アルミテープ
【図１】
2007190117.tif 000003
【図２】
2007190117.tif 000004
【図３】
2007190117.tif 000005
【図４】
2007190117.tif 000006